(57)【要約】  【課題】  使い勝手を向上させた戸別受信機を提供する。  【解決手段】  メモリ３を有する受信部２と制御部４と音声／文字情報切り替えスイッチ５とスピーカ７と文字表示ディスプレイ８と音声認識装置１１とマイク１２を有し、マイク１２より入力された音声を音声認識装置１１で認識し、音声出力若しくは表示若しくはこれらの組合せを行う旨の解析が行われた場合、解析にしたがってメモリ３に記憶された防災行政情報を出力することを特徴とする。【選択図】図１
2006246040.tif 000002
【特許請求の範囲】
【請求項１】
操作卓を備えたセンタ局より中継局を介して防災行政情報を受信するデジタル無線システムの戸別受信機において、
前記センタ局より前記防災行政情報として音声情報若しくは文字情報を受信して少なくとも文字情報を記憶する受信手段と、
受信した前記音声情報若しくは文字情報を判別する音声／文字情報切り替え手段と、
前記判別が音声情報の場合は当該音声情報を音声出力するスピーカと、
前記判別が文字情報の場合は当該文字情報を表示する表示手段と、
音声入力部より入力された音声を認識する音声認識手段とを有し、
前記音声認識手段により、前記音声出力若しくは前記表示若しくはこれらの組合せを行う旨の解析が行われた場合、当該解析にしたがって前記記憶された前記防災行政情報を出力することを特徴とする戸別受信機。
【請求項２】
請求項１記載の戸別受信機であって、前記音声認識手段により、前記スピーカより音声出力するボリューム調整を行う旨の解析が行われた場合、当該解析にしたがって前記音声出力のボリュームを調整することを特徴とする戸別受信機。
【発明の詳細な説明】
【技術分野】
【０００１】
本発明は、操作卓を備えたセンタ局より中継局を介して防災行政情報を受信するデジタル無線システムの戸別受信機に関する。
【背景技術】
【０００２】
操作卓を備えたセンタ局より中継局を介して防災行政情報を受信するデジタル無線システムの標準仕様としては、例えば（社）電波産業会策定の標準規格ＡＲＩＢ  ＳＴＢ−Ｔ８６「市町村デジタル同報通信システム」（非特許文献１）がある。
【０００３】
図２は従来の戸別受信機のブロック構成図である。図２において、２１はアンテナ、２２は受信部、２３は制御部、２４は文字/音声情報切り替えスイッチ、２５は文字表示ディスプレイ、２６はスピーカ、２７はボリューム調整器、２８はボリューム調整ダイヤルである。以下図２を用いて説明する。
【０００４】
市町村役場等に設置されたセンタ局から戸別受信機に送信する防災行政情報には、音声情報または文字情報の他に、情報が音声であるか文字であるかの選択情報を含む制御情報がある。
【０００５】
戸別受信機はアンテナ部２１、受信部２２で受信し、復調する。制御情報は制御部２３に、音声または文字情報は文字/音声情報切り替えスイッチ２４に出力される。
【０００６】
制御部２３は制御情報から文字/音声選択情報を抜き出し、音声である時は、文字/音声情報切り替えスイッチ２４をＡ側に切り替え、スピーカ２６に出力する。また文字である時は、文字/音声情報切り替えスイッチ２４をＢ側に切り替え、文字情報を文字表示ディスプレイ２５に表示する。
【０００７】
ユーザが戸別受信機のボリューム調整をする時には、ボリューム調整ダイヤル２８をまわすと、その調整値を制御部２３がボリューム調整器２７に伝え、ボリューム調整を行う。
【０００８】
【非特許文献１】（社）電波産業会策定の標準規格ＡＲＩＢ  ＳＴＢ−Ｔ８６「市町村デジタル同報通信システム」
【発明の開示】
【発明が解決しようとする課題】
【０００９】
しかしながら、戸別受信機は各家の高い位置に取り付けられていることが多い。このため、気軽に操作ができない課題がある。
【００１０】
本発明の目的は、使い勝手を向上させた戸別受信機を提供することにある。
【課題を解決するための手段】
【００１１】
本発明は、操作卓を備えたセンタ局より中継局を介して防災行政情報を受信するデジタル無線システムの戸別受信機において、前記センタ局より前記防災行政情報として音声情報若しくは文字情報を受信して少なくとも文字情報を記憶する受信手段と、受信した前記音声情報若しくは文字情報を判別する音声／文字情報切り替え手段と、前記判別が音声情報の場合は当該音声情報を音声出力するスピーカと、前記判別が文字情報の場合は当該文字情報を表示する表示手段と、音声入力部より入力された音声を認識する音声認識手段とを有し、前記音声認識手段により、前記音声出力若しくは前記表示若しくはこれらの組合せを行う旨の解析が行われた場合、当該解析にしたがって前記記憶された前記防災行政情報を出力することを特徴とする。
【００１２】
また前記音声認識手段により、前記スピーカより音声出力するボリューム調整を行う旨の解析が行われた場合、当該解析にしたがって前記音声出力のボリュームを調整することを特徴とする。
【００１３】
またさらに、前記記憶された文字情報を音声情報に変換する文字／音声変換手段を有し、前記音声認識手段により、前記記憶された文字情報を音声情報に変換する旨の解析が行われた場合、当該解析に従って前記文字／音声変換手段により、当該文字情報を音声情報に変換して前記スピーカより音声出力することを特徴とする。
【発明の効果】
【００１４】
本発明によれば、ユーザが音声によって戸別受信機の操作が可能となるので、使い勝手を向上させた戸別受信機を得ることができる。
【発明を実施するための最良の形態】
【００１５】
図１は本発明の実施の形態のブロック構成図である。図１において、１はアンテナ、２は受信部、３はメモリ、４は制御部、５は文字/音声情報切り替えスイッチ、６は文字/音声変換切り替えスイッチ、７はスピーカ、８は文字表示ディスプレイ、９は文字/音声変換器、１０はボリューム調整器、１１は          音声認識装置、１２はマイクである。以下図１を用いて説明する。
【００１６】
市町村役場等に設置されたセンタ局から戸別受信機に送信する防災行政情報には、音声情報または文字情報の他に制御情報があり、該制御情報に、音声情報であるか文字情報情報であるかの文字/音声選択情報も含まれる。
【００１７】
戸別受信機はアンテナ部１、受信部２で受信し、復調する。音声情報若しくは文字情報は受信部２内のメモリ３に記憶する。制御情報は制御部４に、記憶した音声情報若しくは文字情報は文字/音声情報切り替えスイッチ５に出力される。
【００１８】
制御部４は制御情報から文字/音声選択情報を抜き出し、音声情報である時は、文字/音声情報切り替えスイッチ５をＡ側に切り替え、スピーカ７に出力する。また文字情報である時は、文字/音声情報切り替えスイッチ５をＢ側に、文字/音声変換切り替えスイッチ６をＢ側に切り替え、文字/音声変換器９に出力する。文字情報は文字/音声変換器９で音声情報に変換され、スピーカ７に出力される。
【００１９】
また、ユーザがマイク１２に向かって、音声情報出力命令の音声を出すと、音声認識装置１１で音声出力を行う旨の解析が行われ、解析結果が制御部４に出力される。制御部４は、メモリ３に保存されている音声情報を出力するよう命令を出し、文字/音声情報切り替えスイッチ５をＡ側に切り替え、音声情報は文字/音声情報切り替えスイッチ５を通り、スピーカ７に出力される。
【００２０】
また、ユーザがマイク１２に向かって、文字情報出力命令の音声を出すと、音声認識装置１１で表示を行う旨の解析が行われ、解析結果が制御部４に出力される。制御部４は、メモリ３に保存されている文字情報を出力するよう命令を出し、文字/音声情報切り替えスイッチ５をＢ側に、文字/音声変換切り替えスイッチ６をＡ側に切り替え、文字情報は、文字/音声情報切り替えスイッチ５、文字/音声変換切り替えスイッチ６を通り、文字表示ディスプレイ８で表示される。
【００２１】
また、ユーザがマイク１２に向かって、文字情報の音声出力命令の音声を出すと、音声認識装置１１で文字の音声出力を行う旨の解析が行われ、解析結果が制御部４に出力される。制御部４は、メモリ３に保存されている文字情報を出力するよう命令を出し、文字/音声情報切り替えスイッチ５をＢ側に、文字/音声変換切り替えスイッチ６をＢ側に切り替える。文字情報は、文字/音声情報切り替えスイッチ５、文字/音声変換切り替えスイッチ６を通り、文字/音声変換器９で文字情報を音声情報に変換され、スピーカ７に出力される。
【００２２】
またユーザがマイク１２に向かって、音声情報と文字情報の両方出力命令の音声を出すと、音声認識装置１１で音声出力と表示の組合せを行う旨の解析が行われ、解析結果が制御部４に出力される。制御部４は、メモリ３に保存されている文字情報を出力するよう命令を出し、文字/音声情報切り替えスイッチ５をＢ側に、文字/音声変換切り替えスイッチ６をＣ側に切り替える。
【００２３】
文字情報は、文字/音声情報切り替えスイッチ５、文字/音声変換切り替えスイッチ６を通り、文字表示ディスプレイ８で表示されるとともに、文字/音声変換器９で文字情報を音声情報に変換され、スピーカ７に出力される。
【００２４】
またユーザが戸別受信機のボリューム調整をする時には、マイク１２に向かってボリューム調整値を言うと、音声認識装置１１でスピーカより音声出力するボリューム調整を行う旨の解析が行われ、解析結果が制御部４に出力される。制御部４は調整値をボリューム調整器１０に伝え、ボリューム調整を行う。
【００２５】
本実施の形態によれば、ユーザが音声によって戸別受信機の操作が可能となるので、使い勝手を向上させた戸別受信機を得ることができる。また本実施の形態によれば、文字情報を音声情報に変換し出力するので、文字によるニュース等も音声として得ることが可能となり、目の見えない人にも文字による情報を伝えることが可能となる。
【図面の簡単な説明】
【００２６】
【図１】本発明の実施の形態のブロック構成図である。
【図２】従来の戸別受信機のブロック構成図である。
【符号の説明】
【００２７】
１：アンテナ、２：受信部、３：メモリ、４：制御部、５：文字/音声情報切り替えスイッチ、６：文字/音声変換切り替えスイッチ、７：スピーカ、８：文字表示ディスプレイ、９：文字/音声変換器、１０：ボリューム調整器、１１：音声認識装置、１２：マイク、２１：アンテナ、２２：受信部、２３：制御部、２４：文字/音声情報切り替えスイッチ、２５：文字表示ディスプレイ、２６：スピーカ、２７：ボリューム調整器、２８：ボリューム調整ダイヤル。
【図１】
2006246040.tif 000003
【図２】
2006246040.tif 000004